(57)【要約】【課題】膨張をし続けるとしたら、宇宙はどのようになるか。収縮する場合はどのようになるか。膨張し続ける場合、筒に成って存在できる範囲は何時代までか。収縮するとしたら再びインフレーションはおきるのか。【解決手段】宇宙の軌道エネルギーの式を3種類に分けて考える。１つは現在のままの軌道エネルギーが続く場合、１つは軌道エネルギーが10倍(又は1/10)に成る場合、１つは中心のブラックホールの10n太陽質量が変化する場合、です。この軌道エネルギーの式により時代の軌道半径の軌道エネルギー(引力)と速度を理解する。銀河系の端の軌道エネルギー(引力)がブラックホールに引き寄せる引力であると判断し、この軌道エネルギーまでが筒に成って存在できる範囲とする。光速4の軌道エネルギーをインフレーションとすると、この軌道エネルギーは小さく成って中心に存在する。これは、インフレーションのエネルギーが宇宙の中心に閉じ込められたためです。【選択図】図２
2013225990.tif 000002
【特許請求の範囲】
【請求項１】
宇宙が収縮する場合、軌道半径の大きさはどのように変化するか。
宇宙が収縮している場合、軌道半径の大きさは小さくなる。10−14m時代の軌道半径を5×107光年とし、これを1とする。軌道半径は、10−15m時代は0.1倍であり、5×106光年。10−16m時代は0.01倍であり、5×105光年。10−17m時代は10-3倍であり、5×104光年。10−18m時代は10-4倍であり、5×103光年。10−19m時代は10-5倍であり、5×102光年。10−20m時代は10-6倍であり、5×10光年です。
【請求項２】
宇宙が収縮する場合、軌道エネルギーは変わらないとすると、宇宙の外側の軌道半径の軌道エネルギーと速度はいくらになるか。
10−14m時代。軌道半径は5×107光年です。
軌道エネルギー＝2.524×1027JKm÷(5×107×9.46×1012)＝5.336×106J。
速度＝(5.336×106)1/2=2.310×103Km。
10−15m時代。軌道半径は5×106光年です。
軌道エネルギー＝2.524×1027JKm÷(5×106×9.46×1012)＝5.336×107J。
速度＝(5.336×107)1/2=7.305×103Km。
10−16m時代。軌道半径は5×105光年です。
軌道エネルギー＝2.524×1027JKm÷(5×105×9.46×1012)＝5.336×108J。
速度＝(5.336×108)1/2=2.310×104Km。
10−17m時代。軌道半径は5×104光年です。
軌道エネルギー＝2.524×1027JKm÷(5×104×9.46×1012)＝5.336×109J。
速度＝(5.336×109)1/2=7.305×104Km。
10−18m時代。軌道半径は5×103光年です。
軌道エネルギー＝2.524×1027JKm÷(5×103×9.46×1012)＝5.336×1010J。
速度＝(5.336×1010)1/2=2.310×105Km。
10−19m時代。軌道半径は5×102光年です。
軌道エネルギー＝2.524×1027JKm÷(5×102×9.46×1012)＝5.336×1011J。
速度＝(5.336×1011)1/2=7.305×105Km。
10−20m時代。軌道半径は5×10光年です。
軌道エネルギー＝2.524×1027JKm÷(5×10×9.46×1012)＝5.336×1012J。
速度＝(5.336×1012)1/2=2.310×106Km。
【請求項３】
宇宙が収縮する場合、軌道エネルギーの式は変わらないとすると、現代光速の軌道半径の変化とその軌道エネルギーと速度はいくらになるか。
10−14m時代。軌道半径は5×103光年です。
軌道エネルギー＝2.524×1027JKm÷(5×103×9.46×1012)＝5.336×1010J。
速度＝(5.336×1010)1/2＝2.310×105Km。
10−15m時代。軌道半径は5×102光年です。
軌道エネルギー＝2.524×1027JKm÷(5×102×9.46×1012)＝5.336×1011J。
速度＝(5.336×1011)1/2=7.305×105Km。
10−16m時代。軌道半径は5×10光年です。
軌道エネルギー＝2.524×1027JKm÷(5×10×9.46×1012)＝5.336×1012J。
速度＝(5.336×1012)1/2=2.310×106Km。
10−17m時代。軌道半径は5光年です。
軌道エネルギー＝2.524×1027JKm÷(5×9.46×1012)＝5.336×1013J。
速度＝(5.336×1013)1/2=7.305×106Km。
10−18m時代。軌道半径は5×10-1光年です。
軌道エネルギー＝2.524×1027JKm÷(5×10-1×9.46×1012)＝5.336×1014J。
速度＝(5.336×1014)1/2=2.310×107Km。
10−19m時代。軌道半径は5×10-2光年です。
軌道エネルギー＝2.524×1027JKm÷(5×10-2×9.46×1012)＝5.336×1015J。
速度＝(5.336×1015)1/2=7.305×107Km。
10−20m時代。軌道半径は5×10-3光年です。
軌道エネルギー＝2.524×1027JKm÷(5×10-3×9.46×1012)＝5.336×1016J。
速度＝(5.336×1016)1/2=2.310×108Km。
これを表に示す。
宇宙が収縮する場合、軌道エネルギーは変わらないとすると、宇宙の外側の軌道半径の軌道エネルギーと速度はいくらになるか。
表23
2013225990.tif 000025
宇宙が収縮する場合、軌道エネルギーは変わらないとすると、現代光速の軌道半径の変化とその軌道エネルギーと速度はいくらになるか。
表24
2013225990.tif 000026
この事によって理解できる事。
1．軌道エネルギーが変わらない場合。収縮するとき、軌道は1/10に成る。軌道エネルギー(引力)は10倍です。速度は3.162倍に成る。
1．10−20m時代、速度は9×1010Kmにはならない。
１．しかし、軌道が収縮する場合は、中央のブラックホールの引力が強くなり、軌道エネルギー(引力)も大きくなるはずです。
【請求項４】
宇宙が収縮する場合、中心のブラックホールが作る軌道エネルギーが10倍ずつ増加する場合の軌道エネルギーの式はいくらか。
10−14m時代の軌道エネルギーの式は2.524×1027JKm÷半径、であり、これを１とする。
10−15m時代の軌道エネルギーの式は、この10倍で、2.524×1028JKm÷半径、です。
10−16m時代の軌道エネルギーの式は、この100倍で、2.524×1029JKm÷半径、です。
10−17m時代の軌道エネルギーの式は、この103倍で、2.524×1030JKm÷半径、です。
10−18m時代の軌道エネルギーの式は、この104倍で、2.524×1031JKm÷半径、です。
10−19m時代の軌道エネルギーの式は、この105倍で、2.524×1032JKm÷半径、です。
10−20m時代の軌道エネルギーの式は、この106倍で、2.524×1033JKm÷半径、です。
【請求項５】
宇宙が収縮する場合、中心のブラックホールが作る軌道エネルギーが10倍ずつ増加する場合、外側の軌道半径と軌道エネルギーと速度はいくらか。
10−14m時代。軌道半径は5×107光年です。
軌道エネルギー＝2.524×1027JKm÷(5×107×9.46×1012Km)＝5.336×106J。
速度＝(5.336×106)1/2=2.310×103Km。
10−15m時代。軌道半径は5×106光年です。
軌道エネルギー＝2.524×1028JKm÷(5×106×9.46×1012Km)＝5.336×108J。
速度＝(5.336×108)1/2=2.310×104Km。
10−16m時代。軌道半径は5×105光年です。
軌道エネルギー＝2.524×1029JKm÷(5×105×9.46×1012Km)＝5.336×1010J。
速度＝(5.336×1010)1/2=2.310×105Km。
10−17m時代。軌道半径は5×104光年です。
軌道エネルギー＝2.524×1030JKm÷(5×104×9.46×1012Km)＝5.336×1012J。
速度＝(5.336×1012)1/2=2.310×106Km。
10−18m時代。軌道半径は5×103光年です。
軌道エネルギー＝2.524×1031JKm÷(5×103×9.46×1012Km)＝5.336×1014J。
速度＝(5.336×1014)1/2=2.310×107Km。
10−19m時代。軌道半径は5×102光年です。
軌道エネルギー＝2.524×1032JKm÷(5×102×9.46×1012Km)＝5.336×1016J。
速度＝(5.336×1016)1/2=2.310×108Km。
10−20m時代。軌道半径は5×10光年です。
軌道エネルギー＝2.524×1033JKm÷(5×10×9.46×1012Km)＝5.336×1018J。
速度＝(5.336×1018)1/2=2.310×109Km。
【請求項６】
宇宙が収縮する場合、中心のブラックホールが作る軌道エネルギーが10倍ずつ増加する場合、現代光速の軌道半径の変化とその軌道エネルギーと速度はいくらか。
10−14m時代。軌道半径は5×103光年です。
軌道エネルギー＝2.524×1027JKm÷(5×103×9.46×1012Km)＝5.336×1010J。
速度＝(5.336×1010)1/2=2.310×105 Km。
10−1５m時代。軌道半径は5×102光年です。
軌道エネルギーは、2.524×1028JKm÷(5×102×9.46×1012Km)＝5.336×1012J。
速度＝(5.336×1012)1/2=2.310×106 Km。
10−16m時代。軌道半径は5×10光年です。
軌道エネルギー＝2.524×1029JKm÷(5×10×9.46×1012Km)＝5.336×1014J。
速度＝(5.336×1014)1/2=2.310×107 Km。
10−17m時代。軌道半径は5光年です。
軌道エネルギー＝2.524×1030JKm÷(5×9.46×1012Km)＝5.336×1016J。
速度＝(5.336×1016)1/2=2.310×108 Km。
10−18m時代。軌道半径は5×10-1光年です。
軌道エネルギー＝2.524×1031JKm÷(5×10-1×9.46×1012Km)＝5.336×1018J。
速度＝(5.336×1018)1/2=2.310×109 Km。
10−19m時代。軌道半径は5×10-2光年です。
軌道エネルギー＝2.524×1032JKm÷(5×10-2×9.46×1012Km)＝5.336×1020J。
速度＝(5.336×1020)1/2=2.310×1010 Km。
10−20m時代。軌道半径は5×10−3光年です。
軌道エネルギー＝2.524×1033JKm÷(5×10-3×9.46×1012Km)＝5.336×1022J。
速度＝(5.336×1022)1/2=2.310×1011 Km。
この事を表に示す。
宇宙が収縮する場合、中心のブラックホールが作る軌道エネルギーが10倍ずつ増加する場合、外側の軌道と軌道エネルギーと速度はいくらか。
表25
2013225990.tif 000027
宇宙が収縮する場合、中心のブラックホールが作る軌道エネルギーが10倍ずつ増加する場合、現代光速の軌道半径の変化とその軌道エネルギーと速度はいくらか。
表26
2013225990.tif 000028
この事によって理解できる事。
1．中心のブラックホールの作る軌道エネルギーが10倍づつ増加する場合、収縮する軌道は1/10です。軌道エネルギーは100倍に成り、速度は10倍に成る。
1．軌道エネルギー＝引力ですから、100倍の引力によって軌道は1/10になる。その時速度は10倍に成っている。
１．軌道エネルギーが大きくなる事は、中心のブラックホールの質量が増加することです。
【請求項７】
宇宙が収縮している場合、中心のブラックホールの質量はどのように変化するか。
軌道が収縮する事は、中心のブラックホールの10n太陽質量が増加するからです。
10−14m時代のブラックホールの質量を1013太陽質量とします。10−15m時代のブラックホールの質量を1014太陽質量とします。10−16m時代のブラックホールの質量を1015太陽質量とします。10−17m時代のブラックホールの質量を1016太陽質量とします。10−18m時代のブラックホールの質量を1017太陽質量とします。10−19m時代のブラックホールの質量を1018太陽質量とします。10−20m時代のブラックホールの質量を1019太陽質量とします。
【請求項８】
宇宙が収縮している場合、中心のブラックホールの10n太陽質量が変化するとき、軌道エネルギーの式はどのように変化するか。
軌道エネルギーの式＝5.438×1018×102n/3JKm÷軌道半径、の式により算出する。
10−14m時代。1013太陽質量です。
軌道エネルギーの式ー＝5.438×1018×102×13÷3JKm÷軌道半径＝5.438×1018×108.6666JKm÷軌道半径＝5.438×1026×4.641JKm÷軌道半径＝2.524×1027JKm÷半径軌道。
10−15m時代。1014太陽質量です。
軌道エネルギーの式＝5.438×1018×102×14÷3JKm÷軌道半径＝5.438×1018×109.3333JKm÷軌道半径＝5.438×1027×2.154JKm÷軌道半径＝1.171×1028JKm÷半径軌道。
10−16m時代。1015太陽質量です。
軌道エネルギーの式＝5.438×1018×102×15÷3JKm÷軌道半径＝5.438×1018×1010JKm÷軌道半径＝5.438×1026JKm÷軌道半径
10−17m時代。1016太陽質量です。
軌道エネルギーの式＝5.438×1018×102×16÷3JKm÷軌道半径＝5.438×1018×1010.6666JKm÷軌道半径＝5.438×1028×4.641JKm÷軌道半径＝2.524×1029JKm÷半径軌道。
10−18m時代。1017太陽質量です。
軌道エネルギーの式＝5.438×1018×102×17÷3JKm÷軌道半径＝5.438×1018×1011.3333JKm÷軌道半径＝5.438×1029×2.154JKm÷軌道半径＝1.171×1030JKm÷半径軌道。
10−19m時代。1018太陽質量です。
軌道エネルギーの式＝5.438×1018×102×18÷3JKm÷軌道半径＝5.438×1018×1012JKm÷軌道半径＝5.438×1030JKm÷軌道半径
10−20m時代。1019太陽質量です。
軌道エネルギーの式＝5.438×1018×102×19÷3JKm÷軌道半径＝5.438×1018×1012.6666JKm÷軌道半径＝5.438×1030×4.641JKm÷軌道半径＝2.524×1031JKm÷半径軌道。
【請求項９】
宇宙が収縮している場合、中心のブラックホールの10n太陽質量が変化するとき、宇宙の外側の軌道半径と軌道エネルギーと速度はいくらに成るか。
10−14m時代。軌道半径は5×107光年です。
軌道エネルギー＝2.524×1027JKm÷(5×107×9.46×1012)＝5.336×106J。
速度＝(5.336×106)1/2=2.310×103Km。
10−15m時代。軌道半径は5×106光年です。
軌道エネルギー＝1.171×1028JKm÷(5×106×9.46×1012)＝2.476×108J。
速度＝(2.476×108)1/2=1.574×104Km。
10−16m時代。軌道半径は5×105光年です。
軌道エネルギー＝5.438×1028JKm÷(5×105×9.46×1012)＝1.150×1010J。
速度＝(1.150×109)1/2=3.391×104Km。
10−17m時代。軌道半径は5×104光年です。
軌道エネルギー＝2.524×1029JKm÷(5×104×9.46×1012)＝5.336×1011J。
速度＝(5.336×1011)1/2=7.305×105Km。
10−18m時代。軌道半径は5×103光年です。
軌道エネルギー＝1.171×1030JKm÷(5×103×9.46×1012)＝2.476×1013J。
速度＝(2.476×1013)1/2=4.976×106Km。
10−19m時代。軌道半径は5×102光年です。
軌道エネルギー＝5.438×1030JKm÷(5×102×9.46×1012)＝1.150×1015J。
速度＝(1.150×1015)1/2=3.391×107Km。
10−20m時代。軌道半径は5×10光年です。
軌道エネルギー＝2.524×1031JKm÷(5×10×9.46×1012)＝5.336×1016J。
速度＝(5.336×1016)1/2=2.310×108Km。
【請求項１０】
宇宙が収縮している場合、中心のブラッくホールの10n太陽質量が変化するとき、現代光速の軌道半径の変化とその軌道エネルギーと速度はいくらに成るか。
現代ブラックホールの軌道半径は5.996×103光年です。これは、中心のブラックホールの質量を2.631×1013太陽質量とし、軌道エネルギーの式を、4.827×1027JKm÷距離、としているからです。
10−14m時代、光速である軌道半径を5×103光年とする。10−15m時代は0.1倍で、5×102光年。10−16m時代は0.01倍で、5×10光年。10−17m時代は10-3倍で、5光年。10−18m時代は10−4倍で、5×10−1光年。10−19m時代は10−5倍で、5×10−2光年。10−20m時代は10−6倍で、5×10−3光年です。
10−14m時代。軌道半径は5×103光年です。
軌道エネルギー＝2.524×1027JKm÷(5×103×9.46×1012)＝5.336×1010J。
速度＝(5.336×1010)1/2=2.310×105Km。
10−15m時代。軌道半径は5×102光年です。
軌道エネルギー＝1.171×1028JKm÷(5×102×9.46×1012)＝2.476×1012J。
速度＝(2.476×1012)1/2=1.574×106Km。
10−16m時代。軌道半径は5×10光年です。
軌道エネルギー＝5.438×1028JKm÷(5×10×9.46×1012)＝1.150×1014J。
速度＝(1.150×1014)1/2=1.072×107Km。
10−17m時代。軌道半径は5光年です。
軌道エネルギー＝2.524×1029JKm÷(5×9.46×1012)＝5.336×1015J。
速度＝(5.336×1015)1/2=7.303×107Km。
10−18m時代。軌道半径は5×10−1光年です。
軌道エネルギー＝1.171×1030JKm÷(5×10-1×9.46×1012)＝2.476×1017J。
速度＝(2.476×1017)1/2=4.976×108Km。
10−19m時代。軌道半径は5×10-2光年です。
軌道エネルギー＝5.438×1030JKm÷(5×10-2×9.46×1012)＝1.150×1018J。
速度＝(1.150×1018)1/2=1.072×109Km。
10−20m時代。軌道半径は5×10-3光年です。
軌道エネルギー＝2.524×1031JKm÷(5×10-3×9.46×1012)＝5.336×1020J。
速度＝(5.336×1020)1/2=2.310×1010Km。
この事を表に示す。
宇宙が収縮している場合、中心のブラックホールの10n太陽質量が変化するとき、軌道エネルギーの式はどのように変化するか。
表27
2013225990.tif 000029
宇宙が収縮している場合、中心のブラックホールの10n太陽質量が変化するとき、宇宙の外側の軌道の軌道エネルギーと速度はいくらに成るか。
表28
2013225990.tif 000030
宇宙が収縮している場合、中心のブラックホールの10n太陽質量が変化するとき、現代光速の軌道半径の変化とその軌道エネルギーと速度はいくらに成るか。
表29
2013225990.tif 000031
この事によって理解できる事。
1．中心のブラックホールの10n太陽質量が変化するとき、収縮する軌道は1/10です。軌道エネルギーは46.4倍に成る。速度は6.812倍に成る。
１．軌道エネルギーは引力ですから、46.4倍の引力によって、軌道は1/10になる。その時、速度は6.812倍に成る。
1．10−20m時代の中心のブラックホールの質量は、1019太陽質量です。これは宇宙全体の質量です。
1．10−20m時代、現代光速の軌道半径は5×10−3光年になる。この軌道エネルギー(引力)は5.336×1020Jであり、81×1020Jに近づく。
【請求項１１】
このまま宇宙が膨張する場合、軌道半径の大きさはどのように変化するか。
10−14m時代の軌道半径を5×107光年とし、これを１とする。軌道半径は、10−15m時代は10倍であり、5×108光年。10−12m時代は100倍であり、5×109光年。10−11m時代は103倍であり、5×1010光年。10−10m時代は104倍であり、5×1011光年です。
【請求項１２】
このまま宇宙が膨張する場合、軌道エネルギーの式は変わらないとすると、宇宙の外側の軌道半径の軌道エネルギーと速度はいくらになるか。
10−14m時代。軌道半径は5×107光年です。
軌道エネルギー＝2.524×1027JKm÷(5×107×9.46×1012)＝5.336×106J。
速度＝(5.336×106)1/2=2.310×103Km。
10−13m時代。軌道半径は5×108光年です。
軌道エネルギー＝2.524×1027JKm÷(5×108×9.46×1012)＝5.336×105J。
速度＝(5.336×105)1/2=7.305×102Km。
10−12m時代。軌道半径は5×109光年です。
軌道エネルギー＝2.524×1027JKm÷(5×109×9.46×1012)＝5.336×104J。
速度＝(5.336×104)1/2=2.310×102Km。
10−11m時代。軌道半径は5×1010光年です。
軌道エネルギー＝2.524×1027JKm÷(5×1010×9.46×1012)＝5.336×103J。
速度＝(5.336×103)1/2=7.305×10Km。
10−10m時代。軌道半径は5×1011光年です。
軌道エネルギー＝2.524×1027JKm÷(5×1011×9.46×1012)＝5.336×102J。
速度＝(5.336×102)1/2=2.310×10Km。
【請求項１３】
このまま宇宙が膨張する場合、軌道エネルギーの式は変わらないとすると、現代光速の軌道半径の変化とその軌道エネルギーと速度はいくらになるか。
現代ブラックホールの軌道半径は5.996×103光年です。これは、中心のブラックホールの質量を2.631×1013太陽質量とし、軌道エネルギーの式を、4.827×1027JKm÷距離、としているからです。
10−14m時代、光速である軌道半径を5×103光年とし、これを１とする。軌道半径は、10−13m時代は10倍で、5×104光年。10−12m時代は100倍で、5×105光年。10−11m時代は103倍で、5×106光年。10−10m時代は104倍で、5×10７光年です。
10−14m時代。軌道半径は5×103光年です。
軌道エネルギー＝2.524×1027JKm÷(5×103×9.46×1012)＝5.336×1010J。
速度＝(5.336×1010)1/2＝2.310×105Km。
10−13m時代。軌道半径は5×104光年です。
軌道エネルギー＝2.524×1027JKm÷(5×104×9.46×1012)＝5.336×109J。
速度＝(5.336×109)1/2=7.305×104Km。
10−12m時代。軌道半径は5×105光年です。
軌道エネルギー＝2.524×1027JKm÷(5×105×9.46×1012)＝5.336×108J。
速度＝(5.336×108)1/2=2.310×104Km。
10−11m時代。軌道半径は5×106光年です。
軌道エネルギー＝2.524×1027JKm÷(5×106×9.46×1012)＝5.336×107J。
速度＝(5.336×107)1/2=7.305×103Km。
10−10m時代。軌道半径は5×107光年です。
軌道エネルギー＝2.524×1027JKm÷(5×107×9.46×1012)＝5.336×106J。
速度＝(5.336×106)1/2=2.310×103Km。
これを表に示す。
このまま宇宙が膨張する場合、軌道エネルギーは変わらないとすると、宇宙の外側の軌道の軌道エネルギーと速度はいくらになるか。
表30
2013225990.tif 000032
このまま宇宙が膨張する場合、軌道エネルギーの式は変わらないとすると、現代光速の軌道半径の変化とその軌道エネルギーと速度はいくらになるか。
表31
2013225990.tif 000033
この事から理解できたこと。
1．軌道エネルギーの式は変わらないとすると、膨張するとき、軌道は10倍に成り、軌道エネルギーは1/10になり、速度は3.16分の1になる。
【請求項１４】
このまま宇宙が膨張する場合、中心のブラックホールの作る軌道エネルギーが1/10になる場合の軌道エネルギーの式はいくらか。
10−14m時代の軌道エネルギーの式は2.524×1027JKm÷半径、であり、これを１とする。
10−13m時代の軌道エネルギーの式は、この0.1倍で、2.524×1026JKm÷半径、です。
10−12m時代の軌道エネルギーの式は、この0.01倍で、2.524×1025JKm÷半径、です。
10−11m時代の軌道エネルギーの式は、この10-3倍で、2.524×1024JKm÷半径、です。
10−10m時代の軌道エネルギーの式は、この10-4倍で、2.524×1023JKm÷半径、です。
【請求項１５】
このまま宇宙が膨張する場合、中心のブラックホールが作る軌道エネルギーが1/10になる場合、外側の軌道と軌道エネルギーと速度はいくらか。
10−14m時代。軌道半径は5×107光年です。
軌道エネルギー＝2.524×1027JKm÷(5×107×9.46×1012Km)＝5.336×106J。
速度＝(5.336×106)1/2=2.310×103Km。
10−13m時代。軌道半径は5×108光年です。
軌道エネルギー＝2.524×1026JKm÷(5×108×9.46×1012Km)＝5.336×104J。
速度＝(5.336×104)1/2=2.310×102Km。
10−12m時代。軌道半径は5×109光年です。
軌道エネルギー＝2.524×1025JKm÷(5×109×9.46×1012Km)＝5.336×102J。
速度＝(5.336×102)1/2=2.310×10Km。
10−11m時代。軌道半径は5×1010光年です。
軌道エネルギー＝2.524×1024JKm÷(5×1010×9.46×1012Km)＝5.336×10J。
速度＝(5.336)1/2=2.310Km。
10−10m時代。軌道半径は5×1011光年です。
軌道エネルギー＝2.524×1023JKm÷(5×1011×9.46×1012Km)＝5.336×10-2J。
速度＝(5.336×10-2)1/2=2.310×10-1Km。
【請求項１６】
このまま宇宙が膨張する場合、中心のブラックホールが作る軌道エネルギーが1/10に成る場合、現代光速の軌道半径の変化とその軌道エネルギーと速度はいくらか。
10−14m時代。軌道半径は5×103光年です。
軌道エネルギー＝2.524×1027JKm÷(5×103×9.46×1012Km)＝5.336×1010J。
速度＝(5.336×1010)1/2=2.310×105 Km。
10−13m時代。軌道半径は5×104光年です。
軌道エネルギー＝2.524×1026JKm÷(5×104×9.46×1012Km)＝5.336×108J。
速度＝(5.336×108)1/2=2.310×104 Km。
10−12m時代。軌道半径は5×105光年です。
軌道エネルギー＝2.524×1025JKm÷(5×105×9.46×1012Km)＝5.336×106J。
速度＝(5.336×106)1/2=2.310×103 Km。
10−11m時代。軌道半径は5×106光年です。
軌道エネルギー＝2.524×1024JKm÷(5×106×9.46×1012Km)＝5.336×104J。
速度＝(5.336×104)1/2=2.310×102 Km。
10−10m時代。軌道半径は5×107光年です。
軌道エネルギー＝2.524×1023JKm÷(5×107×9.46×1012Km)＝5.336×102J。
速度＝(5.336×102)1/2=2.310×10 Km。
この事を表に示す。
宇宙が膨張する場合、中心のブラックホールの作る軌道エネルギーが1/10になる場合、外側の軌道と軌道エネルギーと速度はいくらか。
表32
2013225990.tif 000034
宇宙が膨張する場合、中心のブラックホールの作る軌道エネルギーが1/10になる場合、現代光速の軌道半径の変化とその軌道エネルギーと速度はいくらか。
表33
2013225990.tif 000035
この事から理解できる事。
1．宇宙が膨張する場合、中心のブラックホールの作る軌道エネルギーが1/10になる場合、軌道が10倍に成ると軌道エネルギーは100分の1に成り、速度は10分の1に成る。
【請求項１７】
中心のブラックホールの10n太陽質量のエネルギーが1/10に成る場合。軌道エネルギーはいくらか。
10−14m時代、中心のブラックホールは1013太陽質量です。
10−13m時代、中心のブラックホールは1013太陽質量ですが、エネルギーが1/10に成るので、1012太陽質量と考える。
この軌道エネルギー＝5.438×1018×102×12÷3JKm÷半径＝5.438×1026JKm÷半径。
10−12m時代、中心のブラックホールは1013太陽質量ですが、エネルギーが1/100に成るので、1011太陽質量と考える。
この軌道エネルギー＝5.438×1018×102×11÷3JKm÷半径＝5.438×1018×107.3333JKm÷半径=5.438×1025×2.154JKm÷半径＝1.171×1026JKm÷半径。
10−11m時代、中心のブラックホールは1013太陽質量ですが、エネルギーが10−3倍に成るので、1010太陽質量と考える。
この軌道エネルギー＝5.438×1018×102×10÷3JKm÷半径＝5.438×1018×106.6666JKm÷半径=5.438×1024×4.641JKm÷半径＝2.524×1025JKm÷半径。
10−10m時代、中心のブラックホールは1013太陽質量ですが、エネルギーが10−4倍に成るので、109太陽質量と考える。
この軌道エネルギー＝5.438×1018×102×9÷3JKm÷半径＝5.438×1024JKm÷半径。
【請求項１８】
宇宙が膨張する場合、中心のブラックホールの10n太陽質量のエネルギーが1/10に成る場合。外側の軌道の軌道エネルギーと速度はいくらか。
10−14m時代。軌道半径は5×107光年です。
軌道エネルギー＝2.524×1027JKm÷(5×107×9.46×1012Km)＝5.336×106J。
速度＝(5.336×106)1/2=2.310×103Km。
10−13m時代。軌道半径は5×108光年です。
軌道エネルギー＝5.438×1026JKm
÷(5×108×9.46×1012Km)＝1.150×105J。
速度＝(1.150×105)1/2=3.391×102Km。
10−12m時代。軌道半径は5×109光年です。
軌道エネルギー＝1.171×1026JKm÷(5×109×9.46×1012Km)＝2.476×103J
速度＝(2.476×103)1/2=4.976×10Km。
10−11m時代。軌道半径は5×1010光年です。
軌道エネルギー＝2.524×1025JKm÷(5×1010×9.46×1012Km)＝5.336×10J
速度＝(5.336×10)1/2=7.305Km。
10−10m時代。軌道半径は5×1011光年です。
軌道エネルギー＝5.438×1024JKm÷(5×1011×9.46×1012Km)＝1.150J
速度＝(1.150)1/2=1.072Km。
【請求項１９】
宇宙が膨張する場合、中心のブラックホールの10n太陽質量のエネルギーが1/10に成る場合、現代光速の軌道半径の変化とその軌道エネルギーと速度はいくらになるか。
10−14m時代。光速の軌道半径は5×103光年です。
軌道エネルギー＝2.524×1027JKm÷(5×103×9.46×1012Km)＝5.336×1010J。
速度＝(5.336×1010)1/2=2.310×105Km。
10−13m時代。軌道半径は5×104光年です。
軌道エネルギー＝5.438×1026JKm÷(5×104×9.46×1012Km)＝1.150×109J。
速度＝(1.150×109)1/2=3.391×104Km。
10−12m時代。軌道半径は5×105光年です。
軌道エネルギー＝1.171×1026JKm÷(5×105×9.46×1012Km)＝2.476×107J。
速度＝(2.476×107)1/2=4.976×103Km。
10−11m時代。軌道半径は5×106光年です。
軌道エネルギー＝2.524×1025JKm÷(5×106×9.46×1012Km)＝5.336×105J。
速度＝(5.336×105)1/2=7.305×102Km。
10−11m時代。軌道半径は5×107光年です。
軌道エネルギー＝5.438×1024JKm÷(5×107×9.46×1012Km)＝1.150×104J。
速度＝(1.150×104)1/2=1.072×102Km。
この事を表に示す。
中心のブラックホールの10n太陽質量のエネルギーが1/10に成る場合。軌道エネルギーの式はいくらか。
表34
2013225990.tif 000036
宇宙が膨張する場合、中心のブラックホールの10n太陽質量のエネルギーが1/10に成る場合。外側の軌道の軌道エネルギーと速度はいくらか。
表35
2013225990.tif 000037
宇宙が膨張する場合、中心のブラックホールの10n太陽質量のエネルギーが1/10に成る場合、現代光速の軌道半径の変化とその軌道エネルギーと速度はいくらになるか。
表36
2013225990.tif 000038
この事によって理解できる事。
1．宇宙が膨張する場合、中心のブラックホールの10n太陽質量のエネルギーが1/10に成る場合、軌道半径が10倍に成ると、軌道エネルギーは46.4分の1に成り、速度は6.81分の1に成る。
1．軌道エネルギー(引力)が46.4分の1に成ると、軌道半径は10倍に成る。その軌道速度は6.81分の1に成る。
【請求項２０】
中心のブラックホールが作る軌道エネルギーが1/10に成る場合の軌道エネルギーの式と、中心のブラックホールの10n太陽質量が1/10に成る場合の軌道エネルギーの式の比較。
表で計算する。
表37
2013225990.tif 000039
まとめ。
中心のブラックホールが作る軌道エネルギーの式が10の倍数に成る場合、外側の軌道の軌道エネルギーと速度はいくらか。
表38
2013225990.tif 000040
中心のブラックホールが作る軌道エネルギーの式が10の倍数に成る場合、現代光速の軌道半径の変化とその軌道エネルギーと速度はいくらになるか。
表39
2013225990.tif 000041
中心のブラックホールの10n太陽質量が1/10に成る場合。外側の軌道の軌道エネルギーと速度はいくらか。
表40
2013225990.tif 000042
中心のブラックホールの10n太陽質量が1/10に成る場合。光速だった軌道半径の変化とその軌道エネルギーと速度はいくらか。
表41
2013225990.tif 000043
【請求項２１】
銀河系では、どこまで引きよせる事ができるか。
銀河系の中心のブラックホールは106太陽質量であるとする。このブラックホールが作る軌道エネルギーの式はいくらか。
5.438×1018×102×6÷2JKm÷半径＝5.438×1022JKm÷半径。
銀河系の中心のブラックホールが作る軌道エネルギーの式は5.438×1022JKm÷半径、です。
銀河系の直径は10万光年ですから、軌道半径は5×104光年です。
軌道半径の軌道エネルギーと速度はいくらか。
軌道エネルギー＝5.438×1022JKm÷(5×104×9.46×1012Km)＝1.150×105J
速度＝(1.150×105)1/2=3.391×102Km。
銀河系の端の軌道エネルギー(引力)は、1.150×105Jです。速度は3.391×102Kmです。
銀河系の端の星は、1.150×105Jの引力によって中心に引きつけられています。
それで、中心のブラックホールに引きつけられる事ができる軌道半径は軌道エネルギー(引力)が1.150×105Jまでの軌道半径です。この軌道半径の速度は3.391×102Kmです。
この見解に沿って、中心のブラックホールに引きつけられ、筒として存在できる軌道半径を理解する。
【請求項２２】
中心のブラックホールに引きつけられて、筒として存在できる軌道半径はいくらか。
a．まず、軌道エネルギーの式が、2.524×1027JKm÷軌道、の10の倍数で表現される場合。
筒として存在できる範囲は、10−13m時代で、外側の軌道半径は、5×108光年です。この軌道エネルギーは5.336×104Jで、速度は2.310×102Kmです。
光速だった軌道は、10−11m時代で、軌道半径は、5×106光年までです。この軌道エネルギーは5.336×104Jで、速度は2.310×102 Kmです。
しかし、この範囲の軌道には何も存在しない。
b．次に、軌道エネルギーの式が、中心のブラックホールの10n太陽質量のエネルギーが1/10に成る場合。
筒として存在できる外側の範囲は、10−13m時代で、外側の軌道半径は5×108光年までです。この軌道エネルギーは1.150×105Jで、速度は3.391×102Kmです。
光速だった軌道は、10−11m時代で、軌道半径は5×106光年までです。この軌道エネルギーは、5.336×105Jで、速度は7.305×102Kmです。
しかし、この範囲の軌道には何も存在しない。
a.とb.から、中央のブラックホールの引力に引かれ、外側が筒として存在できるのは10−13m時代までです。外側の軌道半径は5×108光年までです。
また、光速だった軌道は、10−11m時代まで存在できます。軌道半径は5×106光年になっています。但し、この軌道には何も存在しません。
【請求項２３】
軌道エネルギーの式は、、軌道エネルギーは変わらないとする場合(a)と、中心のブラックホールが作る軌道エネルギーが10倍ずつ変化する場合(ｂ)と、中心のブラックホールの10n太陽質量が変化する場合(ｃ)、の軌道エネルギーの式がある。このうち1番妥当であると考えられる式はどれか。
収縮する場合、10−20m時代、ブラックホールの質量は1019太陽質量となる。これは、ビッグバンの以前、電子のラブのエネルギーを１Jとした時、ビッグバンの以前の原子数は1.007×1079個です。この事については2009年9月19日に提出した特願2009−218192に記した。これは、1.007×1079個÷(1.2×1057個)＝8.392×1021太陽質量です。このうちの360分の359がダークマターに成った。これについては2012年3月6日に提出した特願2012−049552に記した。このうち、360分の1が原子に成った。原子に成った数は、1.007×1079個÷360＝2.992×1076です。これは、2.992×1076÷(1.2×1057個)＝2.493×1019太陽質量です。
それで、宇宙に存在する原子数は2.493×1019太陽質量です。これは10−20m時代です。
10−20m時代の様子を、比較します。
軌道エネルギーは変わらないとする場合。式は2.524×1027JKm÷半径で、5×10-3光年の軌道エネルギーは5.336×1016Jで、速度は2.310×108Kmです。
中心のブラックホールが作る軌道エネルギーが10倍ずつ変化する場合。式は2.524×1033JKm÷軌道で、5×10-3光年の軌道エネルギーは5.336×1022Jで、速度は2.310×1011Kmです。
中心のブラックホールの10n太陽質量が変化する場合。式は2.524×1031JKm÷半径で、5×10-3光年の軌道エネルギーは5.336×1020Jで、速度は2.310×1010Kmです。
このことから、中央の軌道エネルギーがインフレーションの軌道エネルギーに近いのは、中心のブラックホールの10n太陽質量が変化する場合の式で計算したものです。
よって、中心のブラックホールの10n太陽質量が変化する場合の式が1番妥当であると考えられる式です。
10−20m時代の軌道エネルギーを3種類の式で計算したときの比較
表42
2013225990.tif 000044
【請求項２４】
インフレーションでできた軌道エネルギーはどこに行ったか。
10−19m時代と10−20m時代において、軌道エネルギーが81×1020Jである軌道半径はいくらか。
インフレーションでは、軌道エネルギーは81×1020Jで速度は9×1010Kmです。
この軌道エネルギーはどこでできるか。
10−19m時代。軌道半径＝5.438×1030JKm÷(81×1020J)＝6.713×108Km。何光年か。6.714×108Km÷(9.46×1012Km)＝7.097×10−5光年。
1020m時代。軌道半径＝2.524×1031JKm÷(81×1020J)＝3.116×109Km。何光年か。3.116×109Km÷(9.46×1012Km)＝3.294×10−4光年。
10−19m時代では、軌道半径が6.714×108Kmで、7.097×10−5光年です。
10−20m時代では、軌道半径が3.116×109Kmで、3.294×10−4光年です。
ここで気付いた事は、81×1020Jの軌道エネルギーは、10−20m時代の軌道の中にも、10−19m時代の軌道の中にも、10−18m時代の軌道の中にも存在することです。
しかも、10−19m時代は10−20m時代より小さい軌道半径として存在する。
81×1020Jの軌道エネルギーは、収縮するとき、軌道を拡大している。
逆に、この事は、インフレーションの時、時間の経過とともに81×1020Jの軌道は小さく成ってブラックホールの軌道の中に存在する。
・81×1020Jの軌道エネルギーの軌道半径はいくらか。中心のブラックホールの10n太陽質量が変化するとき、の軌道エネルギーの式で計算する。
1020m時代。軌道半径＝2.524×1031JKm÷(81×1020J)＝3.116×109Km。何光年か。3.116×109Km÷(9.46×1012Km)＝3.294×10−4光年。
10−19m時代。軌道半径＝5.438×1030JKm÷(81×1020J)＝6.714×108Km。6.714×108Km÷(9.46×1012Km)＝7.097×10−5光年。
10−18m時代。軌道半径＝1.171×1030JKm÷(81×1020J)＝1.446 ×108Km。1.446×108Km÷(9.46×1012Km)＝1.529×10−5光年。
10−17m時代。軌道半径＝2.524×1029JKm÷(81×1020J)＝3.116×107Km。3.116×107Km÷(9.46×1012Km)＝3.294×10−6光年。
10−16m時代。軌道半径＝5.438×1028JKm÷(81×1020J)＝6.714×106Km。6.714×106Km÷(9.46×1012Km)＝7.097×10−7光年。
10−15m時代。軌道半径＝1.171×1028JKm÷(81×1020J)＝1.446×106Km。1.446×106Km÷(9.46×1012Km)＝1.529×10−7光年。
10−14m時代。軌道半径＝2.524×1027JKm÷(81×1020J)＝3.116×105Km。3.116×105Km÷(9.46×1012Km)＝3.294×10−8光年。
このように、インフレーションの軌道エネルギーは各時代の軌道半径に残っている。
インフレーションの時できた巨大軌道エネルギーは消えることなく宇宙の中心の軌道半径に残っている。
インフレーションは体験できなかったし、観察する事も出来ません。しかし、時代がすすむにつれて、その軌道を小さくし、宇宙の中心の軌道の中に存在し続けている。
インフレーションのエネルギーは消えてしまうことなく、宇宙の中心の軌道に存在する。
光速だった軌道半径を参考のために記す。
表に示す。
81×1020Jの軌道エネルギーの軌道半径はいくらか。
表43
2013225990.tif 000045
【請求項２５】
今回、軌道エネルギーの式を変えて検討すると、81×1020Jの軌道エネルギーは小さい軌道の中に存在する。この事は何を示唆するか。
私は、1012年4月16日に提出した特願2012−092549において、インフレーションができた軌道半径を計算した。
それは、4.827×1027JKm÷半径、の式で計算した。軌道半径＝4.827×1027JKm÷(81×1020J)＝5.951×105Km。
何光年か。5.951×105Km÷(9.46×1012Km)＝6.291×10−8光年。
そして、今回、軌道エネルギーの式を変えて検討すると、各時代において、81×1020Jの軌道エネルギーは小さい軌道の中に存在する。
この事は何を暗示するか。この事は、ビッグバンがおきた時、エネルギーは中心に集まった事を示唆する。
ブラックホールができたのも、この働きによる。全てのエネルギーは、飛び出て、宇宙空間に散らばっただけではなく、中心に集まった事を示唆する。
そのため、中心のブラックホールができた。
超新星爆発においても、爆発の後、中心にブラックホールや中性子星が存在する事は、爆発のエネルギーは外側だけに向かったのではなく、内側にも向かった、と言う事です。
内側に向かって、中心にブラックホールや中性子星を作った。
インフレーションの時も、内側に向かって、中心にブラックホールを作った。全質量(約1076原子)の約106分の1のブラックホール(約1070原子)を作った。
【請求項２６】
どうしてインフレーションのエネルギーは宇宙の中心に集まったか。
ビッグバンの以前、中心に陽子のラブが存在していた。この陽子のラブのエネルギーがビッグバンをおこした。このことについては、特願2012−092549に記した。
ビッグバンの以前、陽子のラブは自転だけしていた。それで、陽子のラブは磁気の光子を作っていた。磁気の光子は引力です。それで、インフレーションのエネルギーを吸収した。それで、インフレーションのエネルギーは宇宙の中心に存在する。
【請求項２７】
インフレーションは再びおきるか。
インフレーションがおきる場合の軌道半径。
81×1020Jの軌道エネルギーの軌道半径はいくらか。中心のブラックホールの10n太陽質量が変化するとき、の軌道エネルギーの式で計算する。
表44
2013225990.tif 000046
インフレーションのエネルギーは中心に存在する。このエネルギーが、ブラックホールの10n太陽質量を増加する事により、軌道半径を大きくする。
収縮するとき、外側の軌道半径が次第に小さく成るのに反し、インフレーションの軌道半径は、次第に大きくなる。
10−20mの時代に成ると1019太陽質量となり、インフレーションのエネルギーは爆発する。
宇宙膨張の時は、10−24m時代にビッグバンが始まって、インフレーションは10−20m時代に終わった。
しかし、宇宙収縮の時は、軌道エネルギーはインフレーションどまりであり、インフレーションは10−20m時代におきる。そして再び、宇宙は膨張する。これは、超新星爆発のようなものかもしれない。
【発明の詳細な説明】
【技術分野】
【０００１】
本発明は、宇宙の膨張と収縮に関するものである。
【背景技術】
【０００２】
現代、宇宙の軌道は拡大し、加速しているという。この事に関して、私は、2012年3月27日に提出した特願2012−070574において次のように記した。宇宙の軌道エネルギーの式は4.8×1027JKｍ÷距離＝速度2、です。その場合、軌道が拡大したならば、減速するはずです。宇宙の軌道が拡大し、かつ加速する場合は、中心のブラックホールの質量が増加し、軌道エネルギーは4.8×1027JKｍ÷距離、より大きく成る事が必要である。現在、中心のブラックホールは、2.631×1013太陽質量であるからこれ以上に成らなければならない。これはビッグクランチです。ビッグクランチに成ると宇宙はどのようになるか。はたして宇宙は拡大するだけなのか。それとも、収縮するのか。
もし収縮した場合はどのように成るか。拡大した場合はどのようになるか。
【先行技術文献】
【特許文献】
【０００３】
【特許文献１】特願2009−218192
【特許文献２】特願2012−070574
【特許文献３】特願2012−092549
【発明の概要】
【発明が解決しようとする課題】
【０００４】
1．宇宙の収縮と膨張はどのように進むか。軌道エネルギーの式を3種類に分けて考える。軌道エネルギーは変わらないとする場合(a)と、中心のブラックホールが作る軌道エネルギーが10倍ずつ変化する場合(ｂ)と、中心のブラックホールの10n太陽質量が変化する場合(ｃ)、の軌道エネルギーの式がある。
1．銀河系では、どこまで引きよせる事ができるか。
1．中心のブラックホールに引きつけられて、筒として存在できる軌道半径はいくらか。
1．軌道エネルギーの式は、、軌道エネルギーは変わらないとする場合(a)と、中心のブラックホールが作る軌道エネルギーが10倍ずつ変化する場合(ｂ)と、中心のブラックホールの10n太陽質量が変化する場合(ｃ)、の軌道エネルギーの式がある。このうち1番妥当であると考えられる式はどれか。
1．インフレーションでできた軌道エネルギーはどこに行ったか。
１．今回、軌道エネルギーの式を変えて検討すると、81×1020Jの軌道エネルギーは小さい軌道の中に存在する。この事は何を示唆するか。
１．どうしてインフレーションのエネルギーは宇宙の中心に集まったか。
1．インフレーションは再びおきるか。
【課題を解決するための手段】
【０００５】
これから宇宙が膨張した場合はどのようであるか。収縮した場合はどのようであるか。その事について、宇宙の軌道の大きさの膨張と収縮を、3種類の宇宙の軌道エネルギーの式を用いて考える。
【発明の効果】
【０００６】
次の事が理解できた。
1．軌道エネルギーの式が変わらない場合、宇宙の時代における外側の軌道半径とその軌道エネルギーと速度が理解できた。
1．軌道エネルギーの式が変わらない場合、宇宙の時代における現代光速の軌道半径の変化とその軌道エネルギーと速度が理解できた。
1．中心のブラックホールが作る軌道エネルギーが10倍ずつ変化する場合、宇宙の時代における外側の軌道半径とその軌道エネルギーと速度が理解できた。
1．中心のブラックホールが作る軌道エネルギーが10倍ずつ変化する場合、宇宙の時代における現代光速の軌道半径の変化とその軌道エネルギーと速度が理解できた。
1．中心のブラックホールの10n太陽質量が変化する場合、宇宙の時代における外側の軌道半径とその軌道エネルギーと速度が理解できた。
1．中心のブラックホールの10n太陽質量が変化する場合、宇宙の時代における現代光速の軌道半径の変化とその軌道エネルギーと速度が理解できた。
１．銀河系の端の軌道エネルギー(引力)は、1.150×105Jです。速度は3.391×102Kmです。
銀河系の端の星は、1.150×105Jの引力によって中心に引きつけられています。
１．中央のブラックホールの引力に引かれ、外側が筒として存在できるのは10−13m時代までです。外側の軌道半径は5×108光年までです。
また、光速だった軌道は、10−11m時代まで存在できます。軌道半径は5×106光年になっています。但し、この軌道には何も存在しません。
1．中心のブラックホールの10n太陽質量が変化する場合の式が1番妥当であると考えられる式です。
１．81×1020Jの軌道エネルギーは、収縮するとき、軌道を拡大している。インフレーションに向かって軌道を拡大しながら進んでいる。
この事は、インフレーションの時、時間の経過とともに81×1020Jの軌道は小さく成ってブラックホールの軌道の中心に存在した。。
インフレーションは体験できなかったし、観察する事も出来ません。しかし、時代がすすむにつれて、その軌道を小さくし、宇宙の中心の軌道の中に存在し続けている。
インフレーションのエネルギーは消えてしまうことなく、宇宙の中心の軌道に存在する。
1．ブラックホールができたのも、インフレーションの働きによる。全てのエネルギーは、飛び出て、宇宙空間に散らばったのではなく、中心に集まった事を示唆する。
そのため、中心のブラックホールができた。
超新星爆発においても、爆発の後、中心にブラックホールや中性子星が存在する事は、爆発のエネルギーは外側だけに向かったのではなく、内側にも向かった、と言う事です。
内側に向かって、中心にブラックホールや中性子星を作った。
インフレーションの時、内側に向かって、中心にブラックホールを作った。全質量の約106分の1のブラックホールを作った。
１．ビッグバンの以前、中心に陽子のラブが存在していた。この陽子のラブのエネルギーがビッグバンをおこした。
ビッグバンの以前、陽子のラブは自転だけしていた。それで、陽子のラブは磁気の光子を作っていた。磁気の光子は引力です。それで、インフレーションのエネルギーを吸収した。それで、インフレーションのエネルギーは宇宙の中心に存在する。
1．宇宙膨張の時は、10−24m時代にビッグバンが始まって、インフレーションは10−20m時代に終わった。
しかし、宇宙収縮の時は、エネルギーはインフレーションどまりであり、インフレーションは10−20m時代におきる。そして再び、宇宙は収縮する。これは、超新星爆発のようなものかもしれない。
【図面の簡単な説明】
【０００７】
【図１】図１は銀河系の中央のブックホールは106太陽質量だとします。これでできる軌道エネルギーの式は5.438×1022JKm÷半径、です。銀河系の軌道半径は5×105Kmなので、この端の軌道エネルギーは、軌道エネルギー＝5.438×1022JKm÷(5×104×9.46×1012Km)＝1.150×105J。速度＝(1.150×105)1/2=3.391×102Km。銀河系の端の軌道エネルギー(引力)は、1.150×105Jです。速度は3.391×102Kmです。よって、中心のブラックホールに引かれ、筒の中に存在できる軌道エネルギーは1.150×105Jです。速度は3.391×102Kmです。
【図２】図２は中央のブラックホールの引力に引かれ、筒として存在できるのは10−13m時代までです。外側の軌道半径は5×108光年までです。また、光速だった軌道は、10−11m時代まで存在できます。軌道半径は5×106光年になっています。但し、この軌道には何も存在しません。
【図３】図３はインフレーションの軌道エネルギーの推移を現したもので、21は宇宙が膨張するときの推移を示す。22は宇宙が収縮するときの推移を示す。
【発明を実施するための形態】
【０００８】
１．    宇宙が収縮する場合、軌道半径の大きさはどのように変化するか。
宇宙が収縮している場合、軌道半径の大きさは小さくなる。10−14m時代の軌道半径を5×107光年とし、これを1とする。軌道半径は、10−15m時代は0.1倍であり、5×106光年。10−16m時代は0.01倍であり、5×105光年。10−17m時代は10-3倍であり、5×104光年。10−18m時代は10-4倍であり、5×103光年。10−19m時代は10-5倍であり、5×102光年。10−20m時代は10-6倍であり、5×10光年です。
２．    宇宙が収縮する場合、軌道エネルギーは変わらないとすると、宇宙の外側の軌道半径の軌道エネルギーと速度はいくらになるか。
10−14m時代。軌道半径は5×107光年です。
軌道エネルギー＝2.524×1027JKm÷(5×107×9.46×1012)＝5.336×106J。
速度＝(5.336×106)1/2=2.310×103Km。
10−15m時代。軌道半径は5×106光年です。
軌道エネルギー＝2.524×1027JKm÷(5×106×9.46×1012)＝5.336×107J。
速度＝(5.336×107)1/2=7.305×103Km。
10−16m時代。軌道半径は5×105光年です。
軌道エネルギー＝2.524×1027JKm÷(5×105×9.46×1012)＝5.336×108J。
速度＝(5.336×108)1/2=2.310×104Km。
10−17m時代。軌道半径は5×104光年です。
軌道エネルギー＝2.524×1027JKm÷(5×104×9.46×1012)＝5.336×109J。
速度＝(5.336×109)1/2=7.305×104Km。
10−18m時代。軌道半径は5×103光年です。
軌道エネルギー＝2.524×1027JKm÷(5×103×9.46×1012)＝5.336×1010J。
速度＝(5.336×1010)1/2=2.310×105Km。
10−19m時代。軌道半径は5×102光年です。
軌道エネルギー＝2.524×1027JKm÷(5×102×9.46×1012)＝5.336×1011J。
速度＝(5.336×1011)1/2=7.305×105Km。
10−20m時代。軌道半径は5×10光年です。
軌道エネルギー＝2.524×1027JKm÷(5×10×9.46×1012)＝5.336×1012J。
速度＝(5.336×1012)1/2=2.310×106Km。
３．    宇宙が収縮する場合、軌道エネルギーの式は変わらないとすると、現代光速の軌道半径の変化とその軌道エネルギーと速度はいくらになるか。
10−14m時代。軌道半径は5×103光年です。
軌道エネルギー＝2.524×1027JKm÷(5×103×9.46×1012)＝5.336×1010J。
速度＝(5.336×1010)1/2＝2.310×105Km。
10−15m時代。軌道半径は5×102光年です。
軌道エネルギー＝2.524×1027JKm÷(5×102×9.46×1012)＝5.336×1011J。
速度＝(5.336×1011)1/2=7.305×105Km。
10−16m時代。軌道半径は5×10光年です。
軌道エネルギー＝2.524×1027JKm÷(5×10×9.46×1012)＝5.336×1012J。
速度＝(5.336×1012)1/2=2.310×106Km。
10−17m時代。軌道半径は5光年です。
軌道エネルギー＝2.524×1027JKm÷(5×9.46×1012)＝5.336×1013J。
速度＝(5.336×1013)1/2=7.305×106Km。
10−18m時代。軌道半径は5×10-1光年です。
軌道エネルギー＝2.524×1027JKm÷(5×10-1×9.46×1012)＝5.336×1014J。
速度＝(5.336×1014)1/2=2.310×107Km。
10−19m時代。軌道半径は5×10-2光年です。
軌道エネルギー＝2.524×1027JKm÷(5×10-2×9.46×1012)＝5.336×1015J。
速度＝(5.336×1015)1/2=7.305×107Km。
10−20m時代。軌道半径は5×10-3光年です。
軌道エネルギー＝2.524×1027JKm÷(5×10-3×9.46×1012)＝5.336×1016J。
速度＝(5.336×1016)1/2=2.310×108Km。
これを表に示す。
宇宙が収縮する場合、軌道エネルギーは変わらないとすると、宇宙の外側の軌道半径の軌道エネルギーと速度はいくらになるか。
表1
2013225990.tif 000003
宇宙が収縮する場合、軌道エネルギーは変わらないとすると、現代光速の軌道半径の変化とその軌道エネルギーと速度はいくらになるか。
表2
2013225990.tif 000004
この事によって理解できる事。
1．軌道エネルギーが変わらない場合。収縮するとき、軌道は1/10に成る。軌道エネルギー(引力)は10倍です。速度は3.162倍に成る。
1．10−20m時代、速度は9×1010Kmにはならない。
１．しかし、軌道が収縮する場合は、中央のブラックホールの引力が強くなり、軌道エネルギー(引力)も大きくなるはずです。
４．    宇宙が収縮する場合、中心のブラックホールが作る軌道エネルギーが10倍ずつ増加する場合の軌道エネルギーの式はいくらか。
10−14m時代の軌道エネルギーの式は2.524×1027JKm÷半径、であり、これを１とする。
10−15m時代の軌道エネルギーの式は、この10倍で、2.524×1028JKm÷半径、です。
10−16m時代の軌道エネルギーの式は、この100倍で、2.524×1029JKm÷半径、です。
10−17m時代の軌道エネルギーの式は、この103倍で、2.524×1030JKm÷半径、です。
10−18m時代の軌道エネルギーの式は、この104倍で、2.524×1031JKm÷半径、です。
10−19m時代の軌道エネルギーの式は、この105倍で、2.524×1032JKm÷半径、です。
10−20m時代の軌道エネルギーの式は、この106倍で、2.524×1033JKm÷半径、です。
５．    宇宙が収縮する場合、中心のブラックホールが作る軌道エネルギーが10倍ずつ増加する場合、外側の軌道半径と軌道エネルギーと速度はいくらか。
10−14m時代。軌道半径は5×107光年です。
軌道エネルギー＝2.524×1027JKm÷(5×107×9.46×1012Km)＝5.336×106J。
速度＝(5.336×106)1/2=2.310×103Km。
10−15m時代。軌道半径は5×106光年です。
軌道エネルギー＝2.524×1028JKm÷(5×106×9.46×1012Km)＝5.336×108J。
速度＝(5.336×108)1/2=2.310×104Km。
10−16m時代。軌道半径は5×105光年です。
軌道エネルギー＝2.524×1029JKm÷(5×105×9.46×1012Km)＝5.336×1010J。
速度＝(5.336×1010)1/2=2.310×105Km。
10−17m時代。軌道半径は5×104光年です。
軌道エネルギー＝2.524×1030JKm÷(5×104×9.46×1012Km)＝5.336×1012J。
速度＝(5.336×1012)1/2=2.310×106Km。
10−18m時代。軌道半径は5×103光年です。
軌道エネルギー＝2.524×1031JKm÷(5×103×9.46×1012Km)＝5.336×1014J。
速度＝(5.336×1014)1/2=2.310×107Km。
10−19m時代。軌道半径は5×102光年です。
軌道エネルギー＝2.524×1032JKm÷(5×102×9.46×1012Km)＝5.336×1016J。
速度＝(5.336×1016)1/2=2.310×108Km。
10−20m時代。軌道半径は5×10光年です。
軌道エネルギー＝2.524×1033JKm÷(5×10×9.46×1012Km)＝5.336×1018J。
速度＝(5.336×1018)1/2=2.310×109Km。
６．    宇宙が収縮する場合、中心のブラックホールが作る軌道エネルギーが10倍ずつ増加する場合、現代光速の軌道半径の変化とその軌道エネルギーと速度はいくらか。
10−14m時代。軌道半径は5×103光年です。
軌道エネルギー＝2.524×1027JKm÷(5×103×9.46×1012Km)＝5.336×1010J。
速度＝(5.336×1010)1/2=2.310×105 Km。
10−1５m時代。軌道半径は5×102光年です。
軌道エネルギーは、2.524×1028JKm÷(5×102×9.46×1012Km)＝5.336×1012J。
速度＝(5.336×1012)1/2=2.310×106 Km。
10−16m時代。軌道半径は5×10光年です。
軌道エネルギー＝2.524×1029JKm÷(5×10×9.46×1012Km)＝5.336×1014J。
速度＝(5.336×1014)1/2=2.310×107 Km。
10−17m時代。軌道半径は5光年です。
軌道エネルギー＝2.524×1030JKm÷(5×9.46×1012Km)＝5.336×1016J。
速度＝(5.336×1016)1/2=2.310×108 Km。
10−18m時代。軌道半径は5×10-1光年です。
軌道エネルギー＝2.524×1031JKm÷(5×10-1×9.46×1012Km)＝5.336×1018J。
速度＝(5.336×1018)1/2=2.310×109 Km。
10−19m時代。軌道半径は5×10-2光年です。
軌道エネルギー＝2.524×1032JKm÷(5×10-2×9.46×1012Km)＝5.336×1020J。
速度＝(5.336×1020)1/2=2.310×1010 Km。
10−20m時代。軌道半径は5×10−3光年です。
軌道エネルギー＝2.524×1033JKm÷(5×10-3×9.46×1012Km)＝5.336×1022J。
速度＝(5.336×1022)1/2=2.310×1011 Km。
この事を表に示す。
宇宙が収縮する場合、中心のブラックホールが作る軌道エネルギーが10倍ずつ増加する場合、外側の軌道と軌道エネルギーと速度はいくらか。
表3
2013225990.tif 000005
宇宙が収縮する場合、中心のブラックホールが作る軌道エネルギーが10倍ずつ増加する場合、現代光速の軌道半径の変化とその軌道エネルギーと速度はいくらか。
表4
2013225990.tif 000006
この事によって理解できる事。
1．中心のブラックホールの作る軌道エネルギーが10倍づつ増加する場合、収縮する軌道は1/10です。軌道エネルギーは100倍に成り、速度は10倍に成る。
1．軌道エネルギー＝引力ですから、100倍の引力によって軌道は1/10になる。その時速度は10倍に成っている。
１．軌道エネルギーが大きくなる事は、中心のブラックホールの質量が増加することです。
７．    宇宙が収縮している場合、中心のブラックホールの質量はどのように変化するか。
軌道が収縮する事は、中心のブラックホールの10n太陽質量が増加するからです。
10−14m時代のブラックホールの質量を1013太陽質量とします。10−15m時代のブラックホールの質量を1014太陽質量とします。10−16m時代のブラックホールの質量を1015太陽質量とします。10−17m時代のブラックホールの質量を1016太陽質量とします。10−18m時代のブラックホールの質量を1017太陽質量とします。10−19m時代のブラックホールの質量を1018太陽質量とします。10−20m時代のブラックホールの質量を1019太陽質量とします。
８．    宇宙が収縮している場合、中心のブラックホールの10n太陽質量が変化するとき、軌道エネルギーの式はどのように変化するか。
軌道エネルギーの式＝5.438×1018×102n/3JKm÷軌道半径、の式により算出する。
10−14m時代。1013太陽質量です。
軌道エネルギーの式ー＝5.438×1018×102×13÷3JKm÷軌道半径＝5.438×1018×108.6666JKm÷軌道半径＝5.438×1026×4.641JKm÷軌道半径＝2.524×1027JKm÷半径軌道。
10−15m時代。1014太陽質量です。
軌道エネルギーの式＝5.438×1018×102×14÷3JKm÷軌道半径＝5.438×1018×109.3333JKm÷軌道半径＝5.438×1027×2.154JKm÷軌道半径＝1.171×1028JKm÷半径軌道。
10−16m時代。1015太陽質量です。
軌道エネルギーの式＝5.438×1018×102×15÷3JKm÷軌道半径＝5.438×1018×1010JKm÷軌道半径＝5.438×1026JKm÷軌道半径
10−17m時代。1016太陽質量です。
軌道エネルギーの式＝5.438×1018×102×16÷3JKm÷軌道半径＝5.438×1018×1010.6666JKm÷軌道半径＝5.438×1028×4.641JKm÷軌道半径＝2.524×1029JKm÷半径軌道。
10−18m時代。1017太陽質量です。
軌道エネルギーの式＝5.438×1018×102×17÷3JKm÷軌道半径＝5.438×1018×1011.3333JKm÷軌道半径＝5.438×1029×2.154JKm÷軌道半径＝1.171×1030JKm÷半径軌道。
10−19m時代。1018太陽質量です。
軌道エネルギーの式＝5.438×1018×102×18÷3JKm÷軌道半径＝5.438×1018×1012JKm÷軌道半径＝5.438×1030JKm÷軌道半径
10−20m時代。1019太陽質量です。
軌道エネルギーの式＝5.438×1018×102×19÷3JKm÷軌道半径＝5.438×1018×1012.6666JKm÷軌道半径＝5.438×1030×4.641JKm÷軌道半径＝2.524×1031JKm÷半径軌道。
９．    宇宙が収縮している場合、中心のブラックホールの10n太陽質量が変化するとき、宇宙の外側の軌道半径と軌道エネルギーと速度はいくらに成るか。
10−14m時代。軌道半径は5×107光年です。
軌道エネルギー＝2.524×1027JKm÷(5×107×9.46×1012)＝5.336×106J。
速度＝(5.336×106)1/2=2.310×103Km。
10−15m時代。軌道半径は5×106光年です。
軌道エネルギー＝1.171×1028JKm÷(5×106×9.46×1012)＝2.476×108J。
速度＝(2.476×108)1/2=1.574×104Km。
10−16m時代。軌道半径は5×105光年です。
軌道エネルギー＝5.438×1028JKm÷(5×105×9.46×1012)＝1.150×1010J。
速度＝(1.150×109)1/2=3.391×104Km。
10−17m時代。軌道半径は5×104光年です。
軌道エネルギー＝2.524×1029JKm÷(5×104×9.46×1012)＝5.336×1011J。
速度＝(5.336×1011)1/2=7.305×105Km。
10−18m時代。軌道半径は5×103光年です。
軌道エネルギー＝1.171×1030JKm÷(5×103×9.46×1012)＝2.476×1013J。
速度＝(2.476×1013)1/2=4.976×106Km。
10−19m時代。軌道半径は5×102光年です。
軌道エネルギー＝5.438×1030JKm÷(5×102×9.46×1012)＝1.150×1015J。
速度＝(1.150×1015)1/2=3.391×107Km。
10−20m時代。軌道半径は5×10光年です。
軌道エネルギー＝2.524×1031JKm÷(5×10×9.46×1012)＝5.336×1016J。
速度＝(5.336×1016)1/2=2.310×108Km。
１０．    宇宙が収縮している場合、中心のブラッくホールの10n太陽質量が変化するとき、現代光速の軌道半径の変化とその軌道エネルギーと速度はいくらに成るか。
現代ブラックホールの軌道半径は5.996×103光年です。これは、中心のブラックホールの質量を2.631×1013太陽質量とし、軌道エネルギーの式を、4.827×1027JKm÷距離、としているからです。
10−14m時代、光速である軌道半径を5×103光年とする。10−15m時代は0.1倍で、5×102光年。10−16m時代は0.01倍で、5×10光年。10−17m時代は10-3倍で、5光年。10−18m時代は10−4倍で、5×10−1光年。10−19m時代は10−5倍で、5×10−2光年。10−20m時代は10−6倍で、5×10−3光年です。
10−14m時代。軌道半径は5×103光年です。
軌道エネルギー＝2.524×1027JKm÷(5×103×9.46×1012)＝5.336×1010J。
速度＝(5.336×1010)1/2=2.310×105Km。
10−15m時代。軌道半径は5×102光年です。
軌道エネルギー＝1.171×1028JKm÷(5×102×9.46×1012)＝2.476×1012J。
速度＝(2.476×1012)1/2=1.574×106Km。
10−16m時代。軌道半径は5×10光年です。
軌道エネルギー＝5.438×1028JKm÷(5×10×9.46×1012)＝1.150×1014J。
速度＝(1.150×1014)1/2=1.072×107Km。
10−17m時代。軌道半径は5光年です。
軌道エネルギー＝2.524×1029JKm÷(5×9.46×1012)＝5.336×1015J。
速度＝(5.336×1015)1/2=7.303×107Km。
10−18m時代。軌道半径は5×10−1光年です。
軌道エネルギー＝1.171×1030JKm÷(5×10-1×9.46×1012)＝2.476×1017J。
速度＝(2.476×1017)1/2=4.976×108Km。
10−19m時代。軌道半径は5×10-2光年です。
軌道エネルギー＝5.438×1030JKm÷(5×10-2×9.46×1012)＝1.150×1018J。
速度＝(1.150×1018)1/2=1.072×109Km。
10−20m時代。軌道半径は5×10-3光年です。
軌道エネルギー＝2.524×1031JKm÷(5×10-3×9.46×1012)＝5.336×1020J。
速度＝(5.336×1020)1/2=2.310×1010Km。
この事を表に示す。
宇宙が収縮している場合、中心のブラックホールの10n太陽質量が変化するとき、軌道エネルギーの式はどのように変化するか。
表5
2013225990.tif 000007
宇宙が収縮している場合、中心のブラックホールの10n太陽質量が変化するとき、宇宙の外側の軌道の軌道エネルギーと速度はいくらに成るか。
表6
2013225990.tif 000008
宇宙が収縮している場合、中心のブラックホールの10n太陽質量が変化するとき、現代光速の軌道半径の変化とその軌道エネルギーと速度はいくらに成るか。
表7
2013225990.tif 000009
この事によって理解できる事。
1．中心のブラックホールの10n太陽質量が変化するとき、収縮する軌道は1/10です。軌道エネルギーは46.4倍に成る。速度は6.812倍に成る。
１．軌道エネルギーは引力ですから、46.4倍の引力によって、軌道は1/10になる。その時、速度は6.812倍に成る。
1．10−20m時代の中心のブラックホールの質量は、1019太陽質量です。これは宇宙全体の質量です。
1．10−20m時代、現代光速の軌道半径は5×10−3光年になる。この軌道エネルギー(引力)は5.336×1020Jであり、81×1020Jに近づく。
１１．    このまま宇宙が膨張する場合、軌道半径の大きさはどのように変化するか。
10−14m時代の軌道半径を5×107光年とし、これを１とする。軌道半径は、10−15m時代は10倍であり、5×108光年。10−12m時代は100倍であり、5×109光年。10−11m時代は103倍であり、5×1010光年。10−10m時代は104倍であり、5×1011光年です。
１２．    このまま宇宙が膨張する場合、軌道エネルギーの式は変わらないとすると、宇宙の外側の軌道半径の軌道エネルギーと速度はいくらになるか。
10−14m時代。軌道半径は5×107光年です。
軌道エネルギー＝2.524×1027JKm÷(5×107×9.46×1012)＝5.336×106J。
速度＝(5.336×106)1/2=2.310×103Km。
10−13m時代。軌道半径は5×108光年です。
軌道エネルギー＝2.524×1027JKm÷(5×108×9.46×1012)＝5.336×105J。
速度＝(5.336×105)1/2=7.305×102Km。
10−12m時代。軌道半径は5×109光年です。
軌道エネルギー＝2.524×1027JKm÷(5×109×9.46×1012)＝5.336×104J。
速度＝(5.336×104)1/2=2.310×102Km。
10−11m時代。軌道半径は5×1010光年です。
軌道エネルギー＝2.524×1027JKm÷(5×1010×9.46×1012)＝5.336×103J。
速度＝(5.336×103)1/2=7.305×10Km。
10−10m時代。軌道半径は5×1011光年です。
軌道エネルギー＝2.524×1027JKm÷(5×1011×9.46×1012)＝5.336×102J。
速度＝(5.336×102)1/2=2.310×10Km。
１３．    このまま宇宙が膨張する場合、軌道エネルギーの式は変わらないとすると、現代光速の軌道半径の変化とその軌道エネルギーと速度はいくらになるか。
現代ブラックホールの軌道半径は5.996×103光年です。これは、中心のブラックホールの質量を2.631×1013太陽質量とし、軌道エネルギーの式を、4.827×1027JKm÷距離、としているからです。
10−14m時代、光速である軌道半径を5×103光年とし、これを１とする。軌道半径は、10−13m時代は10倍で、5×104光年。10−12m時代は100倍で、5×105光年。10−11m時代は103倍で、5×106光年。10−10m時代は104倍で、5×10７光年です。
10−14m時代。軌道半径は5×103光年です。
軌道エネルギー＝2.524×1027JKm÷(5×103×9.46×1012)＝5.336×1010J。
速度＝(5.336×1010)1/2＝2.310×105Km。
10−13m時代。軌道半径は5×104光年です。
軌道エネルギー＝2.524×1027JKm÷(5×104×9.46×1012)＝5.336×109J。
速度＝(5.336×109)1/2=7.305×104Km。
10−12m時代。軌道半径は5×105光年です。
軌道エネルギー＝2.524×1027JKm÷(5×105×9.46×1012)＝5.336×108J。
速度＝(5.336×108)1/2=2.310×104Km。
10−11m時代。軌道半径は5×106光年です。
軌道エネルギー＝2.524×1027JKm÷(5×106×9.46×1012)＝5.336×107J。
速度＝(5.336×107)1/2=7.305×103Km。
10−10m時代。軌道半径は5×107光年です。
軌道エネルギー＝2.524×1027JKm÷(5×107×9.46×1012)＝5.336×106J。
速度＝(5.336×106)1/2=2.310×103Km。
これを表に示す。
このまま宇宙が膨張する場合、軌道エネルギーは変わらないとすると、宇宙の外側の軌道の軌道エネルギーと速度はいくらになるか。
表8
2013225990.tif 000010
このまま宇宙が膨張する場合、軌道エネルギーの式は変わらないとすると、現代光速の軌道半径の変化とその軌道エネルギーと速度はいくらになるか。
表9
2013225990.tif 000011
この事から理解できたこと。
1．軌道エネルギーの式は変わらないとすると、膨張するとき、軌道は10倍に成り、軌道エネルギーは1/10になり、速度は3.16分の1になる。
１４．    このまま宇宙が膨張する場合、中心のブラックホールの作る軌道エネルギーが1/10になる場合の軌道エネルギーの式はいくらか。
10−14m時代の軌道エネルギーの式は2.524×1027JKm÷半径、であり、これを１とする。
10−13m時代の軌道エネルギーの式は、この0.1倍で、2.524×1026JKm÷半径、です。
10−12m時代の軌道エネルギーの式は、この0.01倍で、2.524×1025JKm÷半径、です。
10−11m時代の軌道エネルギーの式は、この10-3倍で、2.524×1024JKm÷半径、です。
10−10m時代の軌道エネルギーの式は、この10-4倍で、2.524×1023JKm÷半径、です。
１５．    このまま宇宙が膨張する場合、中心のブラックホールが作る軌道エネルギーが1/10になる場合、外側の軌道と軌道エネルギーと速度はいくらか。
10−14m時代。軌道半径は5×107光年です。
軌道エネルギー＝2.524×1027JKm÷(5×107×9.46×1012Km)＝5.336×106J。
速度＝(5.336×106)1/2=2.310×103Km。
10−13m時代。軌道半径は5×108光年です。
軌道エネルギー＝2.524×1026JKm÷(5×108×9.46×1012Km)＝5.336×104J。
速度＝(5.336×104)1/2=2.310×102Km。
10−12m時代。軌道半径は5×109光年です。
軌道エネルギー＝2.524×1025JKm÷(5×109×9.46×1012Km)＝5.336×102J。
速度＝(5.336×102)1/2=2.310×10Km。
10−11m時代。軌道半径は5×1010光年です。
軌道エネルギー＝2.524×1024JKm÷(5×1010×9.46×1012Km)＝5.336×10J。
速度＝(5.336)1/2=2.310Km。
10−10m時代。軌道半径は5×1011光年です。
軌道エネルギー＝2.524×1023JKm÷(5×1011×9.46×1012Km)＝5.336×10-2J。
速度＝(5.336×10-2)1/2=2.310×10-1Km。
１６．    このまま宇宙が膨張する場合、中心のブラックホールが作る軌道エネルギーが1/10に成る場合、現代光速の軌道半径の変化とその軌道エネルギーと速度はいくらか。
10−14m時代。軌道半径は5×103光年です。
軌道エネルギー＝2.524×1027JKm÷(5×103×9.46×1012Km)＝5.336×1010J。
速度＝(5.336×1010)1/2=2.310×105 Km。
10−13m時代。軌道半径は5×104光年です。
軌道エネルギー＝2.524×1026JKm÷(5×104×9.46×1012Km)＝5.336×108J。
速度＝(5.336×108)1/2=2.310×104 Km。
10−12m時代。軌道半径は5×105光年です。
軌道エネルギー＝2.524×1025JKm÷(5×105×9.46×1012Km)＝5.336×106J。
速度＝(5.336×106)1/2=2.310×103 Km。
10−11m時代。軌道半径は5×106光年です。
軌道エネルギー＝2.524×1024JKm÷(5×106×9.46×1012Km)＝5.336×104J。
速度＝(5.336×104)1/2=2.310×102 Km。
10−10m時代。軌道半径は5×107光年です。
軌道エネルギー＝2.524×1023JKm÷(5×107×9.46×1012Km)＝5.336×102J。
速度＝(5.336×102)1/2=2.310×10 Km。
この事を表に示す。
宇宙が膨張する場合、中心のブラックホールの作る軌道エネルギーが1/10になる場合、外側の軌道と軌道エネルギーと速度はいくらか。
表10
2013225990.tif 000012
宇宙が膨張する場合、中心のブラックホールの作る軌道エネルギーが1/10になる場合、現代光速の軌道半径の変化とその軌道エネルギーと速度はいくらか。
表11
2013225990.tif 000013
この事から理解できる事。
1．宇宙が膨張する場合、中心のブラックホールの作る軌道エネルギーが1/10になる場合、軌道が10倍に成ると軌道エネルギーは100分の1に成り、速度は10分の1に成る。
１７．    中心のブラックホールの10n太陽質量のエネルギーが1/10に成る場合。軌道エネルギーはいくらか。
10−14m時代、中心のブラックホールは1013太陽質量です。
10−13m時代、中心のブラックホールは1013太陽質量ですが、エネルギーが1/10に成るので、1012太陽質量と考える。
この軌道エネルギー＝5.438×1018×102×12÷3JKm÷半径＝5.438×1026JKm÷半径。
10−12m時代、中心のブラックホールは1013太陽質量ですが、エネルギーが1/100に成るので、1011太陽質量と考える。
この軌道エネルギー＝5.438×1018×102×11÷3JKm÷半径＝5.438×1018×107.3333JKm÷半径=5.438×1025×2.154JKm÷半径＝1.171×1026JKm÷半径。
10−11m時代、中心のブラックホールは1013太陽質量ですが、エネルギーが10−3倍に成るので、1010太陽質量と考える。
この軌道エネルギー＝5.438×1018×102×10÷3JKm÷半径＝5.438×1018×106.6666JKm÷半径=5.438×1024×4.641JKm÷半径＝2.524×1025JKm÷半径。
10−10m時代、中心のブラックホールは1013太陽質量ですが、エネルギーが10−4倍に成るので、109太陽質量と考える。
この軌道エネルギー＝5.438×1018×102×9÷3JKm÷半径＝5.438×1024JKm÷半径。
１８．    宇宙が膨張する場合、中心のブラックホールの10n太陽質量のエネルギーが1/10に成る場合。外側の軌道の軌道エネルギーと速度はいくらか。
10−14m時代。軌道半径は5×107光年です。
軌道エネルギー＝2.524×1027JKm÷(5×107×9.46×1012Km)＝5.336×106J。
速度＝(5.336×106)1/2=2.310×103Km。
10−13m時代。軌道半径は5×108光年です。
軌道エネルギー＝5.438×1026JKm
÷(5×108×9.46×1012Km)＝1.150×105J。
速度＝(1.150×105)1/2=3.391×102Km。
10−12m時代。軌道半径は5×109光年です。
軌道エネルギー＝1.171×1026JKm÷(5×109×9.46×1012Km)＝2.476×103J
速度＝(2.476×103)1/2=4.976×10Km。
10−11m時代。軌道半径は5×1010光年です。
軌道エネルギー＝2.524×1025JKm÷(5×1010×9.46×1012Km)＝5.336×10J
速度＝(5.336×10)1/2=7.305Km。
10−10m時代。軌道半径は5×1011光年です。
軌道エネルギー＝5.438×1024JKm÷(5×1011×9.46×1012Km)＝1.150J
速度＝(1.150)1/2=1.072Km。
１９．    宇宙が膨張する場合、中心のブラックホールの10n太陽質量のエネルギーが1/10に成る場合、現代光速の軌道半径の変化とその軌道エネルギーと速度はいくらになるか。
10−14m時代。光速の軌道半径は5×103光年です。
軌道エネルギー＝2.524×1027JKm÷(5×103×9.46×1012Km)＝5.336×1010J。
速度＝(5.336×1010)1/2=2.310×105Km。
10−13m時代。軌道半径は5×104光年です。
軌道エネルギー＝5.438×1026JKm÷(5×104×9.46×1012Km)＝1.150×109J。
速度＝(1.150×109)1/2=3.391×104Km。
10−12m時代。軌道半径は5×105光年です。
軌道エネルギー＝1.171×1026JKm÷(5×105×9.46×1012Km)＝2.476×107J。
速度＝(2.476×107)1/2=4.976×103Km。
10−11m時代。軌道半径は5×106光年です。
軌道エネルギー＝2.524×1025JKm÷(5×106×9.46×1012Km)＝5.336×105J。
速度＝(5.336×105)1/2=7.305×102Km。
10−11m時代。軌道半径は5×107光年です。
軌道エネルギー＝5.438×1024JKm÷(5×107×9.46×1012Km)＝1.150×104J。
速度＝(1.150×104)1/2=1.072×102Km。
この事を表に示す。
中心のブラックホールの10n太陽質量のエネルギーが1/10に成る場合。軌道エネルギーの式はいくらか。
表12
2013225990.tif 000014
宇宙が膨張する場合、中心のブラックホールの10n太陽質量のエネルギーが1/10に成る場合。外側の軌道の軌道エネルギーと速度はいくらか。
表13
2013225990.tif 000015
宇宙が膨張する場合、中心のブラックホールの10n太陽質量のエネルギーが1/10に成る場合、現代光速の軌道半径の変化とその軌道エネルギーと速度はいくらになるか。
表14
2013225990.tif 000016
この事によって理解できる事。
1．宇宙が膨張する場合、中心のブラックホールの10n太陽質量のエネルギーが1/10に成る場合、軌道半径が10倍に成ると、軌道エネルギーは46.4分の1に成り、速度は6.81分の1に成る。
1．軌道エネルギー(引力)が46.4分の1に成ると、軌道半径は10倍に成る。その軌道速度は6.81分の1に成る。
２０．    中心のブラックホールが作る軌道エネルギーが1/10に成る場合の軌道エネルギーの式と、中心のブラックホールの10n太陽質量が1/10に成る場合の軌道エネルギーの式の比較。
表で計算する。
表15
2013225990.tif 000017
まとめ。
中心のブラックホールが作る軌道エネルギーの式が10の倍数に成る場合、外側の軌道の軌道エネルギーと速度はいくらか。
表16
2013225990.tif 000018
中心のブラックホールが作る軌道エネルギーの式が10の倍数に成る場合、現代光速の軌道半径の変化とその軌道エネルギーと速度はいくらになるか。
表17
2013225990.tif 000019
中心のブラックホールの10n太陽質量が1/10に成る場合。外側の軌道の軌道エネルギーと速度はいくらか。
表18
2013225990.tif 000020
中心のブラックホールの10n太陽質量が1/10に成る場合。光速だった軌道半径の変化とその軌道エネルギーと速度はいくらか。
表19
2013225990.tif 000021
２１．    銀河系では、どこまで引きよせる事ができるか。
銀河系の中心のブラックホールは106太陽質量であるとする。このブラックホールが作る軌道エネルギーの式はいくらか。
5.438×1018×102×6÷2JKm÷半径＝5.438×1022JKm÷半径。
銀河系の中心のブラックホールが作る軌道エネルギーの式は5.438×1022JKm÷半径、です。
銀河系の直径は10万光年ですから、軌道半径は5×104光年です。
軌道半径の軌道エネルギーと速度はいくらか。
軌道エネルギー＝5.438×1022JKm÷(5×104×9.46×1012Km)＝1.150×105J
速度＝(1.150×105)1/2=3.391×102Km。
銀河系の端の軌道エネルギー(引力)は、1.150×105Jです。速度は3.391×102Kmです。
銀河系の端の星は、1.150×105Jの引力によって中心に引きつけられています。
それで、中心のブラックホールに引きつけられる事ができる軌道半径は軌道エネルギー(引力)が1.150×105Jまでの軌道半径です。この軌道半径の速度は3.391×102Kmです。
この見解に沿って、中心のブラックホールに引きつけられ、筒として存在できる軌道半径を理解する。
２２．    中心のブラックホールに引きつけられて、筒として存在できる軌道半径はいくらか。
a．まず、軌道エネルギーの式が、2.524×1027JKm÷軌道、の10の倍数で表現される場合。
筒として存在できる範囲は、10−13m時代で、外側の軌道半径は、5×108光年です。この軌道エネルギーは5.336×104Jで、速度は2.310×102Kmです。
光速だった軌道は、10−11m時代で、軌道半径は、5×106光年までです。この軌道エネルギーは5.336×104Jで、速度は2.310×102 Kmです。
しかし、この範囲の軌道には何も存在しない。
b．次に、軌道エネルギーの式が、中心のブラックホールの10n太陽質量のエネルギーが1/10に成る場合。
筒として存在できる外側の範囲は、10−13m時代で、外側の軌道半径は5×108光年までです。この軌道エネルギーは1.150×105Jで、速度は3.391×102Kmです。
光速だった軌道は、10−11m時代で、軌道半径は5×106光年までです。この軌道エネルギーは、5.336×105Jで、速度は7.305×102Kmです。
しかし、この範囲の軌道には何も存在しない。
a.とb.から、中央のブラックホールの引力に引かれ、外側が筒として存在できるのは10−13m時代までです。外側の軌道半径は5×108光年までです。
また、光速だった軌道は、10−11m時代まで存在できます。軌道半径は5×106光年になっています。但し、この軌道には何も存在しません。
２３．    軌道エネルギーの式は、、軌道エネルギーは変わらないとする場合(a)と、中心のブラックホールが作る軌道エネルギーが10倍ずつ変化する場合(ｂ)と、中心のブラックホールの10n太陽質量が変化する場合(ｃ)、の軌道エネルギーの式がある。このうち1番妥当であると考えられる式はどれか。
収縮する場合、10−20m時代、ブラックホールの質量は1019太陽質量となる。これは、ビッグバンの以前、電子のラブのエネルギーを１Jとした時、ビッグバンの以前の原子数は1.007×1079個です。この事については2009年9月19日に提出した特願2009−218192に記した。これは、1.007×1079個÷(1.2×1057個)＝8.392×1021太陽質量です。このうちの360分の359がダークマターに成った。これについては2012年3月6日に提出した特願2012−049552に記した。このうち、360分の1が原子に成った。原子に成った数は、1.007×1079個÷360＝2.992×1076です。これは、2.992×1076÷(1.2×1057個)＝2.493×1019太陽質量です。
それで、宇宙に存在する原子数は2.493×1019太陽質量です。これは10−20m時代です。
10−20m時代の様子を、比較します。
軌道エネルギーは変わらないとする場合。式は2.524×1027JKm÷半径で、5×10-3光年の軌道エネルギーは5.336×1016Jで、速度は2.310×108Kmです。
中心のブラックホールが作る軌道エネルギーが10倍ずつ変化する場合。式は2.524×1033JKm÷軌道で、5×10-3光年の軌道エネルギーは5.336×1022Jで、速度は2.310×1011Kmです。
中心のブラックホールの10n太陽質量が変化する場合。式は2.524×1031JKm÷半径で、5×10-3光年の軌道エネルギーは5.336×1020Jで、速度は2.310×1010Kmです。
このことから、中央の軌道エネルギーがインフレーションの軌道エネルギーに近いのは、中心のブラックホールの10n太陽質量が変化する場合の式で計算したものです。
よって、中心のブラックホールの10n太陽質量が変化する場合の式が1番妥当であると考えられる式です。
10−20m時代の軌道エネルギーを3種類の式で計算したときの比較
表20
2013225990.tif 000022
２４．    インフレーションでできた軌道エネルギーはどこに行ったか。
10−19m時代と10−20m時代において、軌道エネルギーが81×1020Jである軌道半径はいくらか。
インフレーションでは、軌道エネルギーは81×1020Jで速度は9×1010Kmです。
この軌道エネルギーはどこでできるか。
10−19m時代。軌道半径＝5.438×1030JKm÷(81×1020J)＝6.713×108Km。何光年か。6.714×108Km÷(9.46×1012Km)＝7.097×10−5光年。
1020m時代。軌道半径＝2.524×1031JKm÷(81×1020J)＝3.116×109Km。何光年か。3.116×109Km÷(9.46×1012Km)＝3.294×10−4光年。
10−19m時代では、軌道半径が6.714×108Kmで、7.097×10−5光年です。
10−20m時代では、軌道半径が3.116×109Kmで、3.294×10−4光年です。
ここで気付いた事は、81×1020Jの軌道エネルギーは、10−20m時代の軌道の中にも、10−19m時代の軌道の中にも、10−18m時代の軌道の中にも存在することです。
しかも、10−19m時代は10−20m時代より小さい軌道半径として存在する。
81×1020Jの軌道エネルギーは、収縮するとき、軌道を拡大している。
逆に、この事は、インフレーションの時、時間の経過とともに81×1020Jの軌道は小さく成ってブラックホールの軌道の中に存在する。
・81×1020Jの軌道エネルギーの軌道半径はいくらか。中心のブラックホールの10n太陽質量が変化するとき、の軌道エネルギーの式で計算する。
1020m時代。軌道半径＝2.524×1031JKm÷(81×1020J)＝3.116×109Km。何光年か。3.116×109Km÷(9.46×1012Km)＝3.294×10−4光年。
10−19m時代。軌道半径＝5.438×1030JKm÷(81×1020J)＝6.714×108Km。6.714×108Km÷(9.46×1012Km)＝7.097×10−5光年。
10−18m時代。軌道半径＝1.171×1030JKm÷(81×1020J)＝1.446 ×108Km。1.446×108Km÷(9.46×1012Km)＝1.529×10−5光年。
10−17m時代。軌道半径＝2.524×1029JKm÷(81×1020J)＝3.116×107Km。3.116×107Km÷(9.46×1012Km)＝3.294×10−6光年。
10−16m時代。軌道半径＝5.438×1028JKm÷(81×1020J)＝6.714×106Km。6.714×106Km÷(9.46×1012Km)＝7.097×10−7光年。
10−15m時代。軌道半径＝1.171×1028JKm÷(81×1020J)＝1.446×106Km。1.446×106Km÷(9.46×1012Km)＝1.529×10−7光年。
10−14m時代。軌道半径＝2.524×1027JKm÷(81×1020J)＝3.116×105Km。3.116×105Km÷(9.46×1012Km)＝3.294×10−8光年。
このように、インフレーションの軌道エネルギーは各時代の軌道半径に残っている。
インフレーションの時できた巨大軌道エネルギーは消えることなく宇宙の中心の軌道半径に残っている。
インフレーションは体験できなかったし、観察する事も出来ません。しかし、時代がすすむにつれて、その軌道を小さくし、宇宙の中心の軌道の中に存在し続けている。
インフレーションのエネルギーは消えてしまうことなく、宇宙の中心の軌道に存在する。
光速だった軌道半径を参考のために記す。
表に示す。
81×1020Jの軌道エネルギーの軌道半径はいくらか。
表21
2013225990.tif 000023
２５．    今回、軌道エネルギーの式を変えて検討すると、81×1020Jの軌道エネルギーは小さい軌道の中に存在する。この事は何を示唆するか。
私は、1012年4月16日に提出した特願2012−092549において、インフレーションができた軌道半径を計算した。
それは、4.827×1027JKm÷半径、の式で計算した。軌道半径＝4.827×1027JKm÷(81×1020J)＝5.951×105Km。
何光年か。5.951×105Km÷(9.46×1012Km)＝6.291×10−8光年。
そして、今回、軌道エネルギーの式を変えて検討すると、各時代において、81×1020Jの軌道エネルギーは小さい軌道の中に存在する。
この事は何を暗示するか。この事は、ビッグバンがおきた時、エネルギーは中心に集まった事を示唆する。
ブラックホールができたのも、この働きによる。全てのエネルギーは、飛び出て、宇宙空間に散らばっただけではなく、中心に集まった事を示唆する。
そのため、中心のブラックホールができた。
超新星爆発においても、爆発の後、中心にブラックホールや中性子星が存在する事は、爆発のエネルギーは外側だけに向かったのではなく、内側にも向かった、と言う事です。
内側に向かって、中心にブラックホールや中性子星を作った。
インフレーションの時も、内側に向かって、中心にブラックホールを作った。全質量(約1076原子)の約106分の1のブラックホール(約1070原子)を作った。
２６．    どうしてインフレーションのエネルギーは宇宙の中心に集まったか。
ビッグバンの以前、中心に陽子のラブが存在していた。この陽子のラブのエネルギーがビッグバンをおこした。このことについては、特願2012−092549に記した。
ビッグバンの以前、陽子のラブは自転だけしていた。それで、陽子のラブは磁気の光子を作っていた。磁気の光子は引力です。それで、インフレーションのエネルギーを吸収した。それで、インフレーションのエネルギーは宇宙の中心に存在する。
２７    インフレーションは再びおきるか。
インフレーションがおきる場合の軌道半径。
81×1020Jの軌道エネルギーの軌道半径はいくらか。中心のブラックホールの10n太陽質量が変化するとき、の軌道エネルギーの式で計算する。
表22
2013225990.tif 000024
インフレーションのエネルギーは中心に存在する。このエネルギーが、ブラックホールの10n太陽質量を増加する事により、軌道半径を大きくする。
収縮するとき、外側の軌道半径が次第に小さく成るのに反し、インフレーションの軌道半径は、次第に大きくなる。
10−20mの時代に成ると1019太陽質量となり、インフレーションのエネルギーは爆発する。
宇宙膨張の時は、10−24m時代にビッグバンが始まって、インフレーションは10−20m時代に終わった。
しかし、宇宙収縮の時は、軌道エネルギーはインフレーションどまりであり、インフレーションは10−20m時代におきる。そして再び、宇宙は膨張する。これは、超新星爆発のようなものかもしれない。
【産業上の利用可能性】
【０００９】
宇宙の将来を知る事は人類の生活をどのようにするべきかの指標になる。その事によって、生産をどのようにしなければならないかの方向づけが見えてくる。
【符号の説明】
【００１０】
１    銀河系の中心のブラックホールの質量を106太陽質量とする。
２    銀河系の外側の軌道半径は5×104光年で、軌道エネルギー(引力)は、1.150×105J、速度は3.391×102Km
３    10−11m時代。光速だった軌道半径は5×106光年に成り、この軌道エネルギーは、5.336×105Jで、速度は7.305×102Km。この軌道には何も存在しない。
４    10−12m時代。光速だった軌道半径は5×105光年に成り、この軌道エネルギーは、2.476×107Jで、速度は4.976×103Km。この軌道には何も存在しない。
５    10−13m時代。外側の軌道半径は5×108光年に成り、この軌道エネルギーは、1.150×105Jで、速度は3.391×102Km。
６    10−13m時代。光速だった軌道半径は5×104光年に成り、この軌道エネルギーは、1.150×109Jで、速度は3.391×104Km 。この軌道には何も存在しない。
７    10−14m時代。外側の軌道半径は5×10７光年で、この軌道エネルギーは、5.336×106Jで、速度は2.310×103Km 。
８    10−14m時代。光速だった軌道半径は5×103光年で、この軌道エネルギーは、5.336×1010Jで、速度は2.310×105Km 。
９    10−15m時代。外側の軌道半径は5×106光年で、この軌道エネルギーは、2.476×108J で、速度は 1.574×104Km。
１０    10−15m時代。光速だった軌道半径は5×102光年で、この軌道エネルギーは、2.476×1012J で、速度は1.574×106Km 。
１１    10−16m時代。外側の軌道半径は5×105光年で、この軌道エネルギーは、1.150×1010J で、速度は 1.072×105Km 。    
１２    10−16m時代。光速だった軌道半径は5×10光年で、この軌道エネルギーは、1.148×1014J で、速度は1.071×107Km 。
１３    10−17m時代。外側の軌道半径は5×104光年で、この軌道エネルギーは、 5.336×1011Jで、速度は 7.305×105Km 。
１４    10−17m時代。光速だった軌道半径は5光年で、この軌道エネルギーは、5.336×1015J で、速度は7.303×107Km。
１５    10−18m時代。外側の軌道半径は5×103光年で、この軌道エネルギーは、2.476×1013Jで、速度は 4.976×106Km 。
１６    10−18m時代。光速だった軌道半径は5×10−1光年で、この軌道エネルギーは、2.476×1017Jで、速度は4.976×108Km 。
１７    10−19m時代。外側の軌道半径は5×102光年で、この軌道エネルギーは、1.150×1015Jで、速度は 3.391×107Km。
１８    10−19m時代。光速だった軌道半径は5×10−2光年で、この軌道エネルギーは、1.150×1018Jで、速度は1.072×109Km。
１９    10−20m時代。外側の軌道半径は5×10光年で、この軌道エネルギーは、5.336×1016Jで、速度は 2.310×108Km。
２０    10−20m時代。光速だった軌道半径は5×10−3光年で、この軌道エネルギーは、5.336×1020Jで、速度は2.310×1010Km 。
２１    宇宙が膨張するときの81×1020Jの軌道エネルギーの軌道半径の推移
２２    宇宙が収縮するときの81×1020Jの軌道エネルギーの軌道半径の推移
２３    １０−２０m時代。81×1020Jの軌道エネルギーの軌道半径は3.294×10−4光年
２４    １０−１９m時代。81×1020Jの軌道エネルギーの軌道半径は7.096×10−5光年
２５    １０−18m時代。81×1020Jの軌道エネルギーの軌道半径は1.529×10−5光年
２６    １０−17m時代。81×1020Jの軌道エネルギーの軌道半径は3.294×10−6光年
２７    １０−16m時代。81×1020Jの軌道エネルギーの軌道半径は7.097×10−7光年
２８    １０−1５m時代。81×1020Jの軌道エネルギーの軌道半径は1.529×10−7光年
２９    １０−1４m時代。81×1020Jの軌道エネルギーの軌道半径は3.294×10−8光年
３０    中心のブラックホール
【図１】
2013225990.tif 000047
【図２】
2013225990.tif 000048
【図３】
2013225990.tif 000049